(57)【要約】【課題】マッサージ装置において、叩き動作とさすり動作とを同時に行わせ、新たなマッサージ感を得られるようにする。【解決手段】本発明の小型マッサージ装置１は、メカ収納部５及びこのメカ収納部５の一方へ延出するグリップ部６を有したケーシング２と、このケーシング２のメカ収納部５で側方へ突出状態に設けられたマッサージ体３と、前記ケーシング２のメカ収納部５に収納されて前記マッサージ体３にマッサージ動作を行わせる駆動機構７とを備え、前記駆動機構７は、マッサージ体３に対し、メカ収納部５から繰り返し出退させる叩き動作とグリップ部６の長手方向に沿わせて繰り返し往復させるさすり動作とを同時に行わせる構成となっている。【選択図】図４
2010088577.tif 000002
【特許請求の範囲】
【請求項１】
メカ収納部及びこのメカ収納部の一方へ延出するグリップ部を有したケーシングと、このケーシングのメカ収納部で側方へ突出状態に設けられたマッサージ体と、前記ケーシングのメカ収納部に収納されて前記マッサージ体にマッサージ動作を行わせる駆動機構とを備えていて、
前記駆動機構は、マッサージ体に対し、メカ収納部から繰り返し出退させる叩き動作とグリップ部の長手方向に沿わせて繰り返し往復させるさすり動作とを同時に行わせる構成となっていることを特徴とする小型マッサージ装置。
【請求項２】
前記マッサージ体は、前記メカ収納部に形成された開口部を介して当該メカ収納部の外部に突出する揺動アーム部と、この揺動アーム部の先端部であってメカ収納部の外部で支持された施療ヘッドとを備え、
前記駆動機構は、前記揺動アーム部の基端部を偏心駆動可能に支持する駆動軸と、この駆動軸を回転駆動する駆動モータと、前記揺動アーム部の先端側と固定側取付部とを連結する弾性繋留体と、を備えていて、前記マッサージ体が叩き動作とさすり動作とを同時に行うように揺動アーム部が駆動されることを特徴とする請求項１に記載の小型マッサージ装置。
【請求項３】
前記揺動アーム部は、施療ヘッドを中央においてその両側で当該施療ヘッドを支持するように一対設けてあることを特徴とする請求項２に記載の小型マッサージ装置。
【請求項４】
前記固定側取付部は、前記一対の揺動アーム部間に設けられ、
前記弾性繋留体は、前記揺動アーム部の幅方向内側と前記固定側取付部との間に架設されていることを特徴とする請求項３に記載の小型マッサージ装置。
【発明の詳細な説明】
【技術分野】
【０００１】
本発明は、グリップ部を有して手持ち使用が可能になされた小型マッサージ装置に関するものである。
【背景技術】
【０００２】
手持ち使用が可能な小型マッサージ装置として、種々なものが知られている。これらのマッサージ装置は、主として肩をマッサージするために開発されており、ケーシングには突出状態でマッサージ体が設けられ、このマッサージ体を使用者の肩へ押し付けて振動や叩きなどのマッサージ動作をさせるようになっている。
例えば、特許文献１には、グリップ部の先端部に対し、両頭のハンマーヘッドのように相反する両側へ向けて二つのマッサージ体が設けられ、一方のマッサージ体は振動を発生させるものとされ、他方のマッサージ体は叩きを発生させるものとされたマッサージ装置が開示されている。
【０００３】
このマッサージ装置は、振動発生側のマッサージ体を肩等へ押し当てたり、叩き発生側のマッサージ体を肩等へ押し当てたりできるもので、その時々で、使用者が選択した各別のマッサージ感が得られるようになっていた。
【特許文献１】特開平８−１３１４９９号公報
【発明の開示】
【発明が解決しようとする課題】
【０００４】
この種のマッサージ装置が流通する市場において、製品に求められる性能は留まるところが無く、振動によるマッサージでも叩きによるマッサージでもない、新たなマッサージ感の得られるものが要望されることがあった。
例えば、使用者によっては、振動だけでは十分なマッサージ感が得られないという不満があったり、叩きを行うものは痛いという苦情が起こることがあったりして、このように種々様々な要望を持った使用者をも満足させるようなマッサージ装置は、未だ提案されていないのが実情であった。
【０００５】
本発明は、上記事情に鑑みてなされたものであって、これまでにない、新たなマッサージ感を得ることができるようにしたマッサージ装置を提供することを目的とする。
【課題を解決するための手段】
【０００６】
前記目的を達成するために、本発明は次の手段を講じた。
即ち、本発明に係る小型マッサージ装置は、メカ収納部及びこのメカ収納部の一方へ延出するグリップ部を有したケーシングと、このケーシングのメカ収納部で側方へ突出状態に設けられたマッサージ体と、前記ケーシングのメカ収納部に収納されて前記マッサージ体にマッサージ動作を行わせる駆動機構とを備えていて、前記駆動機構は、マッサージ体に対し、メカ収納部から繰り返し出退させる叩き動作とグリップ部の長手方向に沿わせて繰り返し往復させるさすり動作とを同時に行わせる構成となっていることを特徴とする。
【０００７】
このように、マッサージ体に対して叩き動作とさすり動作とを同時に行わせるようにすると、このマッサージ装置の使用者は、これまでにない新たなマッサージ感を得ることができる。
前記マッサージ体は、前記メカ収納部に形成された開口部を介して当該メカ収納部の外部に突出する揺動アーム部と、この揺動アーム部の先端部であってメカ収納部の外部で支持された施療ヘッドとを備え、前記駆動機構は、前記揺動アーム部の基端部を偏心駆動可能に支持する駆動軸と、この駆動軸を回転駆動する駆動モータと、前記揺動アーム部の先端側と固定側取付部とを連結する弾性繋留体と、を備えていて、前記マッサージ体が叩き動作とさすり動作とを同時に行うように揺動アーム部が駆動されるとよい。
【０００８】
このようにすると、駆動軸の回転に伴って揺動アーム部を偏心駆動させることができ、揺動アーム部は、メカ収納部から出退する方向で動作すると共に、グリップ部の長手方向に沿って振れるようになる。ゆえに、揺動アーム部に支持された施療ヘッドは、叩き動作とさすり動作とを同時に行うものとなる。
好ましくは、前記揺動アーム部は、施療ヘッドを中央においてその両側で当該施療ヘッドを支持するように一対設けてあるとよい。
さらに、前記固定側取付部は、前記一対の揺動アーム部間に設けられ、前記弾性繋留体は、前記揺動アーム部の幅方向内側と前記固定側取付部との間に架設されているとよい。
【発明の効果】
【０００９】
本発明に係る小型マッサージ装置では、これまでにない新たなマッサージ感を得ることができる。
【発明を実施するための最良の形態】
【００１０】
以下、本発明の実施の形態を、図面に基づき説明する。
図１〜図６は、本発明に係るマッサージ装置の一実施形態を示している。
特に、図４〜図６に示すように、このマッサージ装置１は、ケーシング２と、このケーシング２の一方端側で側方（図４の下方）へ突出する状態に設けられたマッサージ体３と、を備えている。
以下、説明の便宜上、図４の紙面左右を前後方向とし、図４の紙面貫通方向を左右方向、幅方向とする。図１の紙面左右は左右方向、幅方向となり、図１の紙面貫通方向は前後方向となる。
【００１１】
ケーシング２は樹脂等により長尺状に形成されたもので、メカ収納部５と、このメカ収納部５の一方へ延出するグリップ部６とを有している。前記マッサージ体３が設けられているのはメカ収納部５に該当する。またこのメカ収納部５には、マッサージ体３にマッサージ動作を行わせるための駆動機構７が収納されている。
グリップ部６は棒状に細長く且つ略直線状に形成されており、手で握って持ち易くなっている。グリップ部６の内部には駆動機構７を駆動させたり停止させたりするためのスイッチ１０が設けられ、このスイッチ１０を操作するスライダ１１がグリップ部６の中途部外面に露出して設けられている。
【００１２】
メカ収納部５はグリップ部６よりも前後幅や左右幅が大きく膨出した形体として形成されている。このメカ収納部５には、駆動機構７が収納される位置と上記したマッサージ体３の設けられる部分との間を貫通させる開口部１５が設けられている。図例では、この開口部１５の開口周部がマッサージ体３側へ向けて箱形に膨出するようになったものを示している。
マッサージ体３は、開口部１５を介してメカ収納部５の内外間へわたる状態に設けられた揺動アーム部１７と、この揺動アーム部１７によってメカ収納部５の外部で支持された施療ヘッド１８とを備えている。
【００１３】
施療ヘッド１８は、適度な軟質性を有するゴムや樹脂などで形成されたもので、長方形ブロックの角を丸く削ったような形状を呈している。なお、これらの形成素材や形状などは特に限定されるものではない。例えばヘッド内部を中空構造とするか中実構造とするか、或いは表面だけを軟質性材の張り付け構造にするかなど、適宜変更可能である。
図１〜図３に示すように、揺動アーム部１７は板片状に形成されており、施療ヘッド１８を中央においてその両側を挟むように一対（２本）設けられている。これら両揺動アーム部１７，１７は、それらの先端部間に跨るように設けられたヘッド支持部２０により、互いに所定間隔を保持しつつ一体的に連結されている。このヘッド支持部２０と施療ヘッド１８とが、それらの内部相互にわたるように設けられる連結具２１を介して結合されている。
【００１４】
各揺動アーム部１７の基端部（ヘッド支持部２０とは反対側であってメカ収納部５内へ向いた方の端部）には、略半円形状に形成された軸連結部２３が設けられている。また、各揺動アーム部１７には、その長手方向中途部から、互いに対向する方向へ横突出するようにして動作側取付部２４が設けられている。この動作側取付部２４は、後述する弾性繋留体３３の一端部を連結するためのものである。
駆動機構７は、揺動アーム部１７の基部側の端部（軸連結部２３）を偏心駆動可能に支持する駆動軸３０と、この駆動軸３０を回転駆動する駆動モータ３１と、揺動アーム部１７がメカ収納部５の開口部１５内で必要以外の振れを起こすのを阻止する振れ止め部材３２と、揺動アーム部１７に対してメカ収納部５内へ引き戻す方向に弾性力を付与する弾性繋留体３３とを有している。
【００１５】
揺動アーム部１７が一対（２本）設けられていることに対応して、駆動軸３０、振れ止め部材３２及び弾性繋留体３３も、それぞれ各別に（一対）設けられている。
駆動モータ３１はスイッチ１０をオン、オフすることによって回転又は停止するもので、モータ軸側にウォームギアとウォームホイールとの噛合等によって構成された減速機３５が連結されている。この減速機３５（ウォームホイール）から左右方向両側へ突出する状態で減速出力軸３６，３６が設けられている。
減速出力軸３６には円板状に形成されたカム腕３７が一体回転可能に設けられている。このカム腕３７に対し、減速出力軸３６の軸心から偏心した位置に、前記駆動軸３０が左右方向へ突出する状態で一体的に設けられている。このような駆動軸３０に対し、前記マッサージ体４の揺動アーム部１７がその軸連結部２３を介して相対回転自在な状態に取り付けられている。
【００１６】
これらのことから明かなように、揺動アーム部１７は減速機３５の減速出力軸３６に対して偏心した状態で枢支されている。そのため、駆動モータ３１を作動させると、駆動軸３０が減速出力軸３６の軸心まわりで偏心回転するようになり、この駆動軸３０の偏心回転に伴って揺動アーム部１７の基部側の端部も同様に偏心移動するようになる。
駆動モータ３１の外周部には、そのまわりを四角い枠型に取り囲むようにモータハウジング４３が設けられており、このモータハウジング４３の両側面から揺動アーム部１７へ向けて突出する状態で、前記振れ止め部材３２が設けられている。
【００１７】
この振れ止め部材３２は板状に形成されたもので、揺動アーム部１７の外向きの側面に摺接又は微小クリアランスを保持して近接する状態に設けられている。そのため、各揺動アーム部１７は、振れ止め部材３２と摺動する方向、すなわち、各揺動アーム部１７が、メカ収納部５から出退する方向で動作することは許容され、またこのとき各揺動アーム部１７が、グリップ部６の長手方向に沿って振れることも許容される。
しかし、各揺動アーム部１７が、グリップ部６の長手方向に沿った揺れに対してその直交方向（グリップ部６の長手方向に直交する方向）へ横振れすることは、阻止されるものとなる。
【００１８】
前記モータハウジング４３には、両揺動アーム部１７，１７の相互間へ向けて突出する中間支持体４５が設けられている。この中間支持体４５は、揺動アーム部１７に設けられた前記動作側取付部２４との間に所定間隔を保持するようにしつつ、この動作側取付部２４の側方へ並ぶようになっている。
すなわち、この中間支持体４５は、揺動アーム部１７から動作側取付部２４が突出する方向で対峙する部分を左右両側辺部に有したものとなっており、この左右の両側辺部が、動作側取付部２４に対応する固定側取付部４６とされる。これら動作側取付部２４と固定側取付部４６との間で、弾性繋留体３３がその両端を振り分けるようにしてそれぞれ固定され、架設される。
【００１９】
モータハウジング４３はケーシング２の内部に固定されるものであるから、このモータハウジング４３に設けられた中間支持体４５、即ち、前記固定側取付部４６は、ケーシング２のメカ収納部５側に固定されたものと言える。
弾性繋留体３３は、ゴムやシリコンなどの適度な弾性を有したもので、板状に形成されている。前記のようにこの弾性繋留体３３は揺動アーム部１７の動作側取付部２４とメカ収納部５側（中間支持体４５）の固定側取付部４６との間に架設されるため、揺動アーム部１７が偏心駆動をする際には、当該揺動アーム部１７に対してメカ収納部５内へ引き戻す方向に弾性力が付与される状態となる。
【００２０】
なお、ケーシング２のグリップ部６には、その末尾端部側から電源コード（図示略）を導出させつつこの電源コードの折れ曲がりを防止するためのコードガイド５０が設けられている。このコードガイド５０には吊り掛け用のリング部５１が設けられており、このリング部５１により、マッサージ装置１を壁などに設けたフックに吊り下げることができるようになっている。
次に駆動機構７を駆動させた際の動作について説明する。スイッチ１０をＯＮ操作して駆動モータ３１を作動させると、減速機３５を介して減速出力軸３６が回転し、この減速出力軸３６が回転することでカム腕３７を介して駆動軸３０が減速出力軸３６まわりを偏心回転する。そのため、揺動アーム部１７の基部側の端部が減速出力軸３６を中心としてそのまわりで偏心移動（周移動）するようになる。
【００２１】
ここにおいて、揺動アーム部１７は振れ止め部材３２により、所定方向以外の振れが生じないようにガイドされている。すなわち、揺動アーム部１７はメカ収納部５から出退する方向で動作したり、グリップ部６の長手方向に沿って振れたりすることについては許容されながらも、グリップ部６の長手方向に沿った揺れに対してその直交方向（幅方向）へ横振れすることは阻止される状態となる。
揺動アーム部１７は、弾性繋留体３３によってケーシング２のメカ収納部５内へ引き戻す方向に弾性力が付与されていることから、揺動アーム部１７に支持された施療ヘッド１８、即ち、マッサージ体３全体として、メカ収納部５に対して繰り返し出退する叩き動作と、グリップ部６の長手方向に沿って繰り返し往復するさすり動作とを同時に行う状態となる。そのためこのマッサージ装置１の使用者は、このような複合動作により、これまでにない新たなマッサージ感を得ることができる。
【００２２】
ところで、本発明は、上記実施形態に限定されるものではなく、実施の形態に応じて適宜変更可能である。
例えば、マッサージ体３の施療ヘッド１８は、玉型にしたり、鞍のように中央部が凹んだ形状にしたりすることも可能である。
減速出力軸３６に対してカム腕３７が偏心して固定され、このカム腕３７に対する同心位置に駆動軸３０が設けられるようにしてもよい。
グリップ部６は緩いカーブ形状や折れ曲がり形状を有したものとしてもよい。このとき、カーブや折れ曲がりの向きは、使用状態下で、グリップ部６の下端部ほど使用者側へ近寄るような向きである。また、スイッチ１０をマッサージ動作の種類選択や強弱切替などを行う構成としてもよい。
【００２３】
本発明のマッサージ装置１は、肩への使用に限らず、首、腕、脚など、身体の他の部位で使用することも可能であって、それらの場合、それぞれの使用部位に合わせた最適な持ち方をすればよく、或いは装置の姿勢を変えてその一部（メカ収納部５等）を床や椅子などへ預け置いたり、或いは他人に持ってもらったりするなど、様々な使い方ができる。
【図面の簡単な説明】
【００２４】
【図１】図３のＡ−Ａ線矢視図である。
【図２】図１のＢ−Ｂ線断面図である。
【図３】駆動機構及びマッサージ体を抽出して示した側面図である。
【図４】マッサージ装置の内部構造図である。
【図５】本発明に係るマッサージ装置の一実施形態を示した斜視図である。
【図６】図５のＣ−Ｃ線矢視図である。
【符号の説明】
【００２５】
１    マッサージ装置
２    ケーシング
３    マッサージ体
５    メカ収納部
６    グリップ部
７    駆動機構
１５  開口部
１７  揺動アーム部
１８  施療ヘッド
２４  動作側取付部
３０  駆動軸
３１  駆動モータ
３２  振れ止め部材
３３  弾性繋留体
４６  固定側取付部
【図１】
2010088577.tif 000003
【図２】
2010088577.tif 000004
【図３】
2010088577.tif 000005
【図４】
2010088577.tif 000006
【図５】
2010088577.tif 000007
【図６】
2010088577.tif 000008